(57)【要約】      （修正有）【課題】流し台で使用することにより、この流し台での水はねを少なくすることができる流し台用水はね防止マットを提供する。【解決手段】マット本体１２と、マット本体１２の複数箇所にそれぞれ該マット本体１２の表裏面を貫通して設けられた貫通孔１３と、マット本体１２の裏面に設けられた複数の針状突起１４とを備える水はね防止マットを構成する。さらに前記針状突起は、前記マット本体部の中央部近傍箇所と該中央部近傍箇所からマット周縁部に向かって拡がるように適宜の間隔をおいて複数箇所に設けるとともに、前記マット本体部からの長さが該中央部近傍箇所からマット周縁部側へ向かうに従い短く形成する。【選択図】図３
0003157312.tif 000002
【実用新案登録請求の範囲】
【請求項１】
マット本体と、
マット本体の複数箇所にそれぞれ該マット本体の表裏面を貫通して設けられた貫通孔と、
マット本体の少なくとも表裏一方の面の少なくとも1箇所に設けられた針状突起と、
を備えることを特徴とする流し台用水はね防止マット。
【請求項２】
前記針状突起は、前記マット本体部の中央部近傍箇所と該中央部近傍箇所からマット周縁部に向かって拡がるように適宜の間隔をおいて複数箇所に設けられているとともに、前記マット本体部からの長さが該中央部近傍箇所からマット周縁部側へ向かうに従い短く形成されていることを特徴とする請求項１に記載の流し台用水はね防止マット。
【請求項３】
流し台のシンクの底部に設置する流し台用水はね防止マットであって、
中央部が頂点となってシンクの底部から離れ、かつ、マット周縁部がシンクの底部と当接するようにして側面視湾曲状に形成されているマット本体と、
マット本体の複数箇所にそれぞれ該マット本体の表裏面を貫通して設けられた貫通孔と、
を備えることを特徴とする流し台用水はね防止マット。
【請求項４】
前記貫通孔の形状は多角形であることを特徴とする請求項１から請求項３のいずれかに記載の流し台用水はね防止マット。
【請求項５】
前記マット本体は、シリコン樹脂で形成されていることを特徴とする請求項１から請求項４のいずれかに記載の流し台用水はね防止マット。
【考案の詳細な説明】
【技術分野】
【０００１】
本考案は、主として流し台のシンクの底部に設置する流し台用水はね防止マットに関するものである。
【背景技術】
【０００２】
従来、流し台のシンクは、ステンレス製のものが多い。このステンレス製のシンクは、キズが付き易く、また、滑りやすい。このため、シンクの底部には、シンクにキズを付けたくない、滑りを防止したい、食器を落としたときの衝撃を緩和したい等の理由により、上下面に貫通する水抜き用の孔を全面に設けた合成樹脂製の有孔マット等を設置することが多い(例えば、特許文献１参照)。
【０００３】
一般に、従来の有孔マットは、厚みが３〜７ミリのシートが用いられ、全体がほぼ同じ高さの平面状に形成されている。
【先行技術文献】
【特許文献】
【０００４】
【特許文献１】実公平７−４７０８１号公報
【考案の概要】
【考案が解決しようとする課題】
【０００５】
しかしながら、従来の有孔マットは、水はけが悪く、水道の蛇口から勢いよく水を出してマット上に落下させると、マットに当たった水がシンクの内側だけでなく、外側にもはねて流し台の外側を水浸しにしてしまうというような問題点があった。
【０００６】
そこで、本考案は、上記問題点に鑑みなされたものであって、流し台で使用することにより、この流し台での水はねを少なくすることができる流し台用水はね防止マットを提供することを目的とする。
【課題を解決するための手段】
【０００７】
前記課題を解決するために、本考案である流し台用水はね防止マットは、マット本体と、マット本体の複数箇所にそれぞれ該マット本体の表裏面を貫通して設けられた貫通孔と、マット本体の少なくとも表裏一方の面の少なくとも1箇所に設けられた針状突起と、を備えることを特徴とする。
【０００８】
この構成によれば、針状突起が設けられている面をシンクの底部に対峙させて、マットをシンクの底部上に配置すると、針状突起がマット本体とシンクの底部との間に水はけに寄与する隙間を形成して設置される。また、マット本体には、複数箇所に貫通孔が設けられているので、水道の蛇口から勢いよく水を出してマット上に落下させたとき、落下した水は、貫通孔を通ってマット本体の裏面とシンクの底部との間の隙間に流れ込む水と、マット本体の表面上を水平方向に流れる水とに別れる。
そして、マット本体の表面上を流れた水の一部は、表面上を通ってマット周縁部側に向かい、途中、さらに一部が貫通孔を通ってマット本体の裏面側に流れ込む。また、裏面側に流れず表面上に残された水の一部は、マット周縁部を通ってシンクの底部に流下し、排水口から排水される。
一方、直接または途中で、貫通孔を通ってマット本体の裏面側の隙間内に流れ込んだ水の一部は、その隙間を通って直接排水口に向かって流れて排水され、他の一部はマット本体の貫通孔から再びマット本体の表面上に戻される。また、マット本体の表面上に戻された水は、該表面上を直接流れた水と同じ様にして、途中、貫通孔から裏面側に流れる水を生じながらマット周縁部側に向かって流れ、その後、排水口から排水される。これが各貫通孔の部分において繰り返されることにより、水の勢いを弱めて水はねを防ぐことができる。
【０００９】
上記構成において、前記針状突起は、前記マット本体部の中央部近傍箇所と該中央部近傍箇所からマット周縁部に向かって拡がるように適宜の間隔をおいて複数箇所に設けられているとともに、前記マット本体部からの長さが該中央部近傍箇所からマット周縁部側へ向かうに従い短く形成されている、構成を採用できる。
【００１０】
この構成によれば、シンクの底部上でマット本体を支えている複数の針状突起の長さが、中央部近傍箇所からマット周縁部側へ向かうに従い短く形成されているので、マット本体をシンクの底部に載置すると、マット本体は中央部近傍箇所が頂点で、この中央部近傍箇所からマット周縁部側に向かって徐々に下がる側面視湾曲状をした状態で設置される。したがって、水道の蛇口から勢いよく水を出してマット上に落下させたとき、マット本体の表面を流れる水の一部はマット本体の湾曲面に倣ってマット私有縁部側へ流れ、水の勢いをさらに弱めて水はねを防ぐことができる。
【００１１】
また、前記課題を解決するために、本考案である流し台用水はね防止マットは、流し台のシンクの底部に設置する流し台用水はね防止マットであって、中央部が頂点となってシンクの底部から離れ、かつ、マット周縁部がシンクの底部と当接するようにして側面視湾曲状に形成されているマット本体と、マット本体の複数箇所にそれぞれ該マット本体の表裏面を貫通して設けられた貫通孔と、を備えることを特徴とする。
【００１２】
この構成によれば、マットをシンクの底部に載置すると、マット本体は、中央部近傍箇所が頂点で、この中央部近傍箇所からマット周縁部側に向かって徐々に下がる側面視湾曲状をなし、かつ、マット本体の裏面とシンクの底部との間に水はけに寄与する隙間を形成した状態で設置される。また、マット本体には、複数箇所に貫通孔が設けられているので、水道の蛇口から勢いよく水を出してマット上に落下させたとき、落下した水は、貫通孔を通ってマット本体の裏面とシンクの底部との間の隙間に流れ込む水と、マット本体の表面上を湾曲面に倣ってマット周縁部側へ流れる水とに別れる。
そして、マット本体の表面上を湾曲面に倣って流れる水の一部は、途中、さらに一部が貫通孔を通ってマット本体の裏面側に流れ込む。また、裏面側に流れず表面上に残された水の一部は、マット周縁部を通ってシンクの底部に流下し、排水口から排水される。
一方、直接または途中で、貫通孔を通ってマット本体の裏面側の隙間内に流れ込んだ水の一部は、マット本体の貫通孔から再びマット本体の表面上に戻される。また、マット本体の表面上に戻された水は、該表面上を直接流れた水と同じ様にして、途中、貫通孔から裏面側に流れる水を生じながらマット周縁部側に向かって流れ、その後、排水口から排水される。これが各貫通孔の部分において繰り返されることにより、水の勢いを弱めて水はねを防ぐことができる。
また、この構成では、針状突起を省略して、構造の簡略化を図ることができる。
【００１３】
上記各構成において、前記貫通孔の形状は多角形である、構成を採用できる。
【００１４】
この構成によれば、貫通孔の形状を、例えば三角形、四角形、五角形、六角形、七角形、八角形等の多角形にすると、美観の向上と共にさらに水はね防止効果を高めることができる。
【００１５】
上記各構成において、前記マット本体は、シリコン樹脂で形成されている、構成を採用できる。
【００１６】
この構成によれば、シリコン樹脂を使用して簡単に成形することができる。また、シリコン樹脂を使用することにより、緩衝効果及び滑り防止効果の高い水はね防止マットを簡単に得ることができる。
【考案の効果】
【００１７】
本考案によれば、流し台のシンクの底部との密着部分が少なくて水はけが良く、また、水道の蛇口から勢いよく水を出しても、水の勢いが弱められ、水はねを防止することができる。したがって、マットに当たった水がシンクの外側まではねて流し台の外側を水浸しにするような不都合を防止することができる。
【図面の簡単な説明】
【００１８】
【図１】本考案の第１の実施形態に係る水はね防止マットを示し、上面側より見たその全体斜視図である。
【図２】同上第１の実施の形態に係る水はね防止マットの上面図である。
【図３】同上第１の実施の形態に係る水はね防止マットの下面図である。
【図４】同上第１の実施の形態に係る水はね防止マットの側面図である。
【図５】図２のＡ−Ａ線矢視断面図である。
【図６】図３のＢ−Ｂ線拡大矢視断面図である。
【図７】本考案の第２の実施形態に係る水はね防止マットの上面図である。
【図８】同上第２の実施の形態に係る水はね防止マットの側面図である。
【図９】図７のＣ−Ｃ線矢視断面図である。
【図１０】本考案の第３の実施形態に係る水はね防止マットの上面図である。
【図１１】同上第３の実施の形態に係る水はね防止マットの側面図である。
【図１２】図１０のＤ−Ｄ線矢視断面図である。
【考案を実施するための形態】
【００１９】
以下、図面を参照して本考案について詳細に説明する。なお、以下の説明では、各実施の形態を通じて、同じ要素には同じ符号を付して説明する。
【００２０】
(本考案の第１の実施形態)
図１乃至図６は本考案の第１の実施形態に係る水はね防止マットを示し、図１は上面側より見た同上マットの全体斜視図、図２は同上マットの上面図、図３は同上マットの下面図、図４は同上マットの側面図、図５は図２のＡ−Ａ線矢視断面図、図６は図３のＢ−Ｂ線拡大断面図である。
【００２１】
図１乃至図６において、水はね防止マット１１(以下、マット１１という)は、マット本体１２と、該マット本体１２に設けられた複数個の貫通孔１３,１３…と、該マット本体１２の裏面１２ｂ側に設けられた複数本の針状突起１４,１４…(図３乃至図６参照)とを有する概略長四角形のマットとして、合成樹脂材、例えばシリコン樹脂を成形することにより形成されている。
【００２２】
前記マット本体１２に設けられた複数個の貫通孔１３,１３…は、それぞれ平面視六角形をした孔であり、表面(上面と同じ)１２ａから裏面(下面と同じ)１２ｂに貫通して形成されている。なお、貫通孔１３,１３…は、図１及び図２,図３に示すように、縦方向と横方向にそれぞれ複数個ずつ規則正しく並設された状態で形成されている。また、貫通孔１３の形状は六角形以外に、例えば三角形、四角形、五角形、七角形、八角形等、多角形であることが好ましく、この形状はマット本体１２の水はけ状態及び強度並びに美観等を考慮して設定される。
【００２３】
前記マット本体１２の裏面１２ｂ側に設けられている複数本の針状突起１４,１４…は、図４及び図５に示すように、マット本体１２の裏面１２ｂからほぼ直角に垂下して、マット本体１２と一体に形成されている。また、これら複数本の針状突起１４,１４…は、図３に示すように、前記貫通孔１３,１３…が形成されている領域内において、マット本体１２の中央部Ｏを中心とした中央不近傍箇所からマット周縁部１５ａ,１５ａ１５ｂ,１５ｂ側に向かって概略放射状に拡がるようにして適宜の間隔をおいた複数の箇所にそれぞれ１本ずつと、貫通孔１３,１３…が形成されている領域外であるマット本体１２の縦方向に延びるマット周縁部１５ａ,１５ａ及び横方向に延びるマット周縁部１５ｂ,１５ｂにそれぞれ沿うようにして適宜の間隔をおいた複数の箇所にそれぞれ１本ずつの、合計で約１３０本形成されている。
【００２４】
なお、針状突起１４の使用本数及び長さ並びに直径は、マット１１の大きさや材質等によって異なるものであり、例えばマット本体１２の厚みを３〜１５ミリ程度とすると、針状突起１４の本数は全体で１００本程度、長さは１〜１０ミリ程度、直径は１〜２ミリ程度に設定される。
【００２５】
次に、上記のように構成した第１の実施形態のマット１１の作用を説明する。このマット１１は、図４に示すように、複数本の針状突起１４,１４…が設けられている裏面１２ｂを流し台(図示せず)のシンクの底部１００に対峙させて載置すると、針状突起１４,１４…がマット本体１２とシンクの底部１００との間に水はけに寄与する隙間Ｓを形成した状態にして設置される。
【００２６】
前記マット本体１２には、複数箇所に貫通孔１３,１３…が設けられているので、水道の蛇口(図示せず)から勢いよく水が出されてマット１１上に落下すると、落下した水は、貫通孔１３,１３…を通ってマット本体１２の裏面１２ｂとシンクの底部１００との間の隙間Ｓに流れ込む水と、マット本体１２の表面１２ａ上を水平方向に流れる水とに別れる。
【００２７】
そして、マット本体１２の表面１２ａ上を流れた水の一部は、表面１２ａ上を通ってマット周縁部１５ａ,１５ａ,１５ｂ,１５ｂ側にそれぞれ向かい、途中、さらに一部が貫通孔１３,１３…を通ってマット本体１２の裏面１２ｂ側に流れ込む。また、裏面１２ｂ側に流れず表面１２ａ上に残された水の一部は、マット周縁部１５ａ,１５ａ,１５ｂ,１５ｂを通ってシンクの底部１００に流下し、排水口(図示せず)から排水される。
【００２８】
一方、直接または途中で、貫通孔１３を通ってマット本体１２の裏面１２ｂ側の隙間Ｓ内に流れ込んだ水の一部は、その隙間Ｓを通って直接排水口に向かって流れて排水され、他の一部はマット本体１２の貫通孔１３から再びマット本体１２の表面１２ａ上に戻される。また、マット本体１２の表面１２ａ上に戻された水は、該表面１２ａ上を直接流れた水と同じ様にして、途中、貫通孔１３から裏面１２ｂ側に流れる水を生じながらマット周縁部１５ａ,１５ａ,１５ｂ,１５ｂ側に向かって流れ、その後、排水口から排水される。これが各貫通孔１３,１３…の部分において繰り返されることにより、水の勢いを弱めて水はねを防ぐことができる。
【００２９】
したがって、上記のように構成した第１の実施形態のマット１１を流し台のシンクの底部１００に設置して使用すると、マット１１には複数個の貫通孔１３,１３…が設けられているので、流し台のシンクの底部１００との密着部分が少なくて水はけが良くなり、また、水道の蛇口から勢いよく水が出されても、水の勢いを弱めて水はねを防止することができる。したがって、マット１１に当たった水がシンクの外側まではねて流し台の外側を水浸しにするような不都合を防止することができることになる。
【００３０】
(本考案の第２の実施の形態)
図７乃至図９は本考案の第２の実施形態に係る水はね防止マット２１を示し、図７は同上マットの上面図、図８は同上マットの側面図、図９は図７のＣ−Ｃ線矢視断面図である。この第２の実施形態に係る水はね防止マット２１(以下、マット２１という)は、マット本体１２の裏面側に複数本設けている針状突起１４,１４…の長さが、図９に示すように、マット本体１２の中央部Ｏを中心とした中央近傍箇所からマット周縁部１５ａ,１５ａ,１５ｂ,１５ｂに向かうに従い徐々に短くなるように形成したものであり、他の構造は図１乃至図６と同一であるから同一部分に付いての重複説明は省略する。
【００３１】
上記のように構成した第２の実施形態のマット２１は、図８に示すように、複数本の針状突起１４,１４…が設けられている裏面１２ｂを流し台(図示せず)のシンクの底部１００に対峙させて載置すると、針状突起１４,１４…がマット本体１２とシンクの底部１００との間に水はけに寄与する隙間Ｓを形成した状態にして設置される。また、シンクの底部１００上でマット本体１２を支えている複数本の針状突起１４,１４…の長さが、中央部近傍箇所からマット周縁部側へ向かうに従い短く形成されているので、マット本体１２がシンクの底部１００に載置されると、マット本体１２は中央部Ｏの近傍箇所が頂点で、この中央部近傍箇所からマット周縁部１５ａ,１５ａ,１５ｂ,１５側に向かって徐々に下がる側面視湾曲状をした状態で設置される。
【００３２】
そして、前記マット本体１２には、複数箇所に貫通孔１３,１３…が設けられているので、水道の蛇口(図示せず)から勢いよく水が出されてマット１１上に落下すると、落下した水は、貫通孔１３,１３…を通ってマット本体１２の裏面１２ｂとシンクの底部１００との間の隙間Ｓに流れ込む水と、マット本体１２の表面１２ａの湾曲面に倣って該表面１２ａ上を流れる水とに別れる。
【００３３】
そして、マット本体１２の表面１２ａ上を流れた水の一部は、表面１２ａ上を通ってマット周縁部１５ａ,１５ａ,１５ｂ,１５ｂ側にそれぞれ向かい、途中、さらに一部が貫通孔１３,１３…を通ってマット本体１２の裏面１２ｂ側に流れ込む。また、裏面１２ｂ側に流れず表面１２ａ上に残された水の一部は、マット周縁部１５ａ,１５ａ,１５ｂ,１５ｂを通ってシンクの底部１００に流下し、排水口(図示せず)から排水される。
【００３４】
一方、直接または途中で、貫通孔１３を通ってマット本体１２の裏面１２ｂ側における隙間Ｓ内に流れ込んだ水の一部は、その隙間Ｓを通って直接排水口に向かって流れて排水され、他の一部はマット本体１２の貫通孔１３から再びマット本体１２の表面１２ａ上に戻される。また、マット本体１２の表面１２ａ上に戻された水は、該表面１２ａ上を直接流れた水と同じ様にして、途中、貫通孔１３から裏面１２ｂ側に流れる水を生じながらマット周縁部１５ａ,１５ａ,１５ｂ,１５ｂ側に向かって流れ、その後、排水口から排水される。これが各貫通孔１３,１３…の部分において繰り返されることにより、水の勢いを弱めて水はねを防ぐことができる。
【００３５】
したがって、上記のように構成した第２の実施形態のマット２１を流し台のシンクの底部１００に設置して使用すると、マット２１には複数個の貫通孔１３,１３…が設けられているので、流し台のシンクの底部１００との密着部分が少なくて水はけが良く、また、水道の蛇口から勢いよく水が出されても、水の勢いを弱めて水はねを防止することができる。したがって、マット２１に当たった水がシンクの外側まではねて流し台の外側を水浸しにするような不都合を防止することができることになる。
【００３６】
(本考案の第３の実施の形態)
図１０乃至図１２は本考案の第３の実施形態に係る水はね防止マット３１を示し、図１０は同上マットの上面図、図１１は同上マットの側面図、図１２は図１０のＤ−Ｄ線矢視断面図である。この第３の実施形態に係る水はね防止マット３１(以下、マット３１という)は、第１,第２の実施の形態におけるマット１１,２１でマット本体１２の裏面１２ｂ側に設けていた針状突起を無くし、かつ、図１２に示すように、マット本体１２全体の形状を、該マット本体１２の表面１２ａ側が上方に向かって側面視湾曲状に膨出してなる形状にしたものであり、他の構造は図１乃至図９と同一であるから同一部分に付いての重複説明は省略する。
【００３７】
さらに詳述すると、マット３１のマット本体部１２は、図１１及び図１２に示すように、マット本体部１２の中央部Ｏを頂点とし、この中央部Ｏからマット周縁部１５ａ,１５ａ,１５ｂ,１５ｂに向かってそれぞれ緩やかな曲面を描いて傾斜する湾曲状に形成されてなるものである。そして、表面１２ａ側を上向きにしてマット３１をシンクの底部１００上に載置すると、図１２に示すように、マット周縁部１５ａ,１５ａ,１５ｂ,１５ｂがそれぞれシンクの底部１００に当接して支えられ、このマット周縁部１５ａ,１５ａ,１５ｂ,１５ｂよりも中央部Ｏ寄り側の部分全体がシンクの底部１００から離れ、マット本体部１２とシンクの底面との間に水はけに寄与する隙間Ｓが形成されるようになっている。
【００３８】
上記のように構成した第３の実施形態のマット３１は、図１１及び図１２に示すように、表面１２ａを上側に向け、下側の裏面１２ｂを流し台(図示せず)のシンクの底部１００に対峙させて載置すると、マット本体１２とシンクの底部１００との間に水はけに寄与する隙間Ｓが形成され、かつ、該マット本体１２が中央不Ｏの近傍箇所からマット周縁部１５ａ,１５ａ,１５ｂ,１５ｂに向かって緩やかな曲面で下がる側面視湾曲状をした状態で設置される。
【００３９】
そして、水道の蛇口(図示せず)から水が吐き出されてマット３１上に落下されると、落下した水は、貫通孔１３,１３…を通ってマット本体１２の裏面１２ｂとシンクの底部１００との間の隙間Ｓに流れ込む水と、マット本体１２の表面１２ａ上を湾曲面に倣ってマット周縁部１５ａ,１５ａ,１５ｂ,１５ｂ側へ流れる水とに別れる。
【００４０】
そして、マット本体１２の表面１２ａ上を湾曲面に倣って流れる水の一部は、途中、さらに一部が貫通孔１３を通ってマット本体１２の裏面１２ｂ側に流れ込む。また、裏面１２ｂ側に流れず表面１２ａ上に残された水の一部は、マット周縁部１５ａ,１５ａ,１５ｂ,１５ｂを通ってシンクの底部１００に流下し、排水口から排水される。
【００４１】
一方、直接または途中で、貫通孔１３を通ってマット本体１２の裏面１２ｂ側の隙間Ｓ内に流れ込んだ水の一部は、マット本体１２の貫通孔１３から再びマット本体１２の表面１２ａ上に戻される。また、マット本体１２の表面１２ａ上に戻された水は、該表面１２ａ上を直接流れた水と同じ様にして、途中、貫通孔１３から裏面１２ｂ側に流れる水を生じながらマット周縁部１５ａ,１５ａ,１５ｂ,１５ｂ側に向かって流れ、その後、排水口から排水される。これが各貫通孔１３,１３…の部分において繰り返されることにより、水の勢いを弱めて水はねを防ぐことができる。
【００４２】
したがって、上記のように構成した第３の実施形態のマット３１を流し台のシンクの底部１００に設置して使用すると、マット３１には複数個の貫通孔１３,１３…が設けられているとともに、マット周縁部１５ａ,１５ａ,１５ｂ,１５ｂがシンクの底部１００に当接して、他の中央部Ｏ寄り側の部分全体がシンクの底部１００から離れるようになっているので、流し台のシンクの底部１００との密着部分が少なくて水はけが良く、また、水道の蛇口から勢いよく水が出されても、水の勢いを弱めて水はねを防止することができる。したがって、マット３１に当たった水がシンクの外側まではねて流し台の外側を水浸しにするような不都合を防止することができることになる。
【００４３】
以上、本考案の好ましい実施例について詳述したが、本考案に係るマットは上述した実施の形態に限定されるものではなく、実用新案登録請求の範囲に記載された本考案の要旨の範囲内において、種々の変形、変化が可能である。
【００４４】
例えば、上記第１,第２の実施の形態では、針状突起を裏面１２ｂ側に設けた構造を開示したが、表面１２ａと裏面１２ｂの両方に設けた構造にしてもよい。
【符号の説明】
【００４５】
１１      水はね防止マット
１２      マット本体
１２ａ    表面
１２ｂ    裏面
１３      貫通孔
１４      針状突起
１５ａ,１５ｂ  マット周縁部
２１      水はね防止マット
３１      水はね防止マット
Ｓ        隙間
Ｏ        マット本体の中央部
１００    シンクの底部
【図１】
0003157312.tif 000003
【図２】
0003157312.tif 000004
【図３】
0003157312.tif 000005
【図４】
0003157312.tif 000006
【図５】
0003157312.tif 000007
【図６】
0003157312.tif 000008
【図７】
0003157312.tif 000009
【図８】
0003157312.tif 000010
【図９】
0003157312.tif 000011
【図１０】
0003157312.tif 000012
【図１１】
0003157312.tif 000013
【図１２】
0003157312.tif 000014